(57)【要約】  圧縮機と送風ファンとを有する空気調和機の電装品箱に、発熱部品が実装される第１の制御基板と、第１の制御基板を保持し圧縮機と送風ファンを仕切る仕切板の上部に設置される第１の基板ホルダと、非発熱部品が実装され第１の制御基板に対して略垂直あるいは略水平に取り付けられる第２の制御基板と、第２の制御基板を保持する第２の基板ホルダと、第１の制御基板に取り付けられ仕切板の送風ファン側に突出する放熱フィンとを設けた。
2008126390.tif 000002
【特許請求の範囲】
【請求項１】
圧縮機と送風ファンとを有する空気調和機の電装品箱であって、
発熱部品が実装される第１の制御基板と、該第１の制御基板を保持し前記圧縮機と前記送風ファンを仕切る仕切板の上部に設置される第１の基板ホルダと、非発熱部品が実装される第２の制御基板と、該第２の制御基板を保持し前記仕切板の前記圧縮機側に前記第１の基板ホルダに対して略垂直または水平に設置される第２の基板ホルダと、前記第１の制御基板に取り付けられ前記仕切板の前記送風ファン側に突出する放熱フィンと、を備えたことを特徴とする空気調和機の電装品箱。
【請求項２】
前記第２の基板ホルダが、前記第２の制御基板を挿入するためのスロットを備えたことを特徴とする請求項１に記載の空気調和機の電装品箱。
【請求項３】
リアクタが、前記第２の制御基板に実装されていることを特徴とする請求項１または２に記載の空気調和機の電装品箱。
【請求項４】
請求項１〜３のいずれか１項に記載の空気調和機の電装品箱を備えたことを特徴とする空気調和機。
【発明の詳細な説明】
【技術分野】
【０００１】
本発明は空気調和機に関し、より具体的には空気調和機の電装品箱に関するものである。
【背景技術】
【０００２】
従来、空気調和機の制御を行なうための複数の電気部品が実装された制御基板を有する電装品箱が使用されている（例えば、特許文献１参照）。【０００３】
図６は、特許文献１に記載の電装品箱の構造の一例を示す分解斜視図であり、図６に示されるように、空気調和機の電装品箱２１は、インバータ等の電気部品を取り付けた基板ホルダ２２，２３と、基板ホルダ２２の上面を覆うように水平に取り付けられ、基板ホルダ２２の一側面に露出させて送風機により冷却される発熱電子部品２４，２５を取り付けた放熱フィン２６を有するプリント基板２７と、基板ホルダ２３の背面を覆うように垂直に取り付けられ、基板ホルダ２３の背面に露出させて送風機により冷却される発熱電子部品２８を取り付けた放熱フィン２９を有するプリント基板３０とを備えたものである。【０００４】
また、基板ホルダ２２，２３の内部にリアクタ３１が配置されており、このリアクタ３１の背面と上面をプリント基板２７，３０で覆う構成にしたものである。【０００５】
また、空気調和機を制御するモータ駆動用インバータ制御装置も提案されている（例えば、特許文献２参照）。【０００６】
図７は、このモータ駆動用インバータ制御装置のシステム構成図であり、図７に示されるように、主回路は交流電源５１と、交流電力を直流電力に変換するダイオードブリッジ５２と、２ｍＨ以下の小容量リアクタ６１と、１００μＦ以下の小容量コンデンサ６２と、直流電力を交流電力に変換するインバータ５３と、インバータ５３により変換された交流電力により駆動するモータ５４から構成されている。一方、制御回路では、外部から与えられるモータ５４の速度指令ω＊に基づいてモータ５４の各相電圧指令値を作成するモータ電圧指令作成手段６４と、インバータ５３の直流電圧値を検出するＰＮ電圧検出手段６５と、インバータ５３が実際に電圧出力するタイミングでの直流電圧予測値を演算するＰＮ電圧予測手段６９と、予め設定されたインバータ５３の直流電圧基準値をＰＮ電圧予測手段６９から得られるインバータ６３の直流電圧予測値で除算することによりＰＮ電圧補正係数を導出し、直流電圧検出値がゼロ以下の場合にはＰＮ電圧補正係数に予め設定されたＰＮ電圧補正係数の最大値を設定するＰＮ電圧補正手段６６と、モータ電圧指令作成手段６４から得られる各相電圧指令値とＰＮ電圧補正手段６６の出力値であるＰＮ電圧補正係数とを乗算することにより各相電圧指令値の補正を行なうモータ電圧指令補正手段６７と、モータ電圧指令補正手段６７から作成されたモータ電圧指令補正値がモータ５４に印加されるようなインバータ５３のＰＷＭ信号を生成するＰＷＭ制御手段６８から構成されている。【０００７】
この構成によって、小容量コンデンサおよび小容量リアクタを用いることで小型・軽量・低コストのモータ駆動用インバータ制御装置を実現し、インバータ直流電圧が大幅に変動してモータの駆動が困難あるいは不可能となる場合でも、モータに印加する電圧がほぼ一定となるようにインバータを動作させ、モータ駆動の維持を図ることができる。
【特許文献１】特開平１１−６３５７４号公報
【特許文献２】特開２００５−３０４２４８号公報
【発明の開示】
【発明が解決しようとする課題】
【０００８】
しかしながら、上記従来の空気調和機の電装品箱では、発熱部品が第１のプリント基板および第２のプリント基板に分かれて配置されているため、放熱フィンを２個使用する必要があり、またリアクタが単体で配置され、このリアクタの周りを覆うように第１のプリント基板、および第２のプリント基板が配置されているので、電装品箱全体として小型化が困難である場合がある。【０００９】
本発明は、従来技術の有するこのような問題点に鑑みてなされたものであり、小型化を図ることができる電装品箱を提供することを目的としている。
【課題を解決するための手段】
【００１０】
上記目的を達成するため、本発明の空気調和機の電装品箱は、発熱部品が実装される第１の制御基板と、該第１の制御基板を保持し圧縮機と送風ファンを仕切る仕切板の上部に設置される第１の基板ホルダと、非発熱部品が実装される第２の制御基板と、該第２の制御基板を保持し前記仕切板の前記圧縮機側に前記第１の基板ホルダに対して略垂直または水平に設置される第２の基板ホルダと、前記第１の制御基板に取り付けられ前記仕切板の前記送風ファン側に突出する放熱フィンとを備えるものである。
【発明の効果】
【００１１】
本発明によれば、空気調和機の電装品箱の小型化を図ることができ、ひいては、空気調和機の小型化を図ることができる。
【図面の簡単な説明】
【００１２】
【図１】図１は本発明の実施の形態１に係る空気調和機の電装品箱の構造を示す分解斜視図
【図２】図２は図１の電装品箱を備えた室外機の正面図
【図３】図３は本発明の実施の形態２に係る空気調和機の電装品箱の構造を示す分解斜視図
【図４】図４は図３の電装品箱を備えた室外機の正面図
【図５】図５は本発明の実施の形態３に係る電装品箱を備えた室外機の正面図
【図６】図６は従来の空気調和機の電装品箱の構造を示す分解斜視図
【図７】図７は従来のモータ駆動用インバータ制御装置のシステム構成図
【符号の説明】
【００１３】
１  電装品箱
２  基板ホルダ
３  基板ホルダ
４  制御基板
５  発熱部品
６  放熱フィン
７  制御基板
８  スロット
９  リアクタ
１０  室外機
１１  圧縮機
１２  送風ファン
１３  仕切板
１４  ファンモータ
１５  開口部
１６  室外機の側面
１７  電装品箱
１８  固定板
１０１  電装品箱
１０２  基板ホルダ
１０３  基板ホルダ
【発明を実施するための最良の形態】
【００１４】
第１の発明は、発熱部品が実装される第１の制御基板と、第１の制御基板を保持し圧縮機と送風ファンを仕切る仕切板の上部に設置される第１の基板ホルダと、非発熱部品が実装される第２の制御基板と、第２の制御基板を保持し仕切板の圧縮機側に第１の基板ホルダに対して略垂直または水平に設置される第２の基板ホルダと、第１の制御基板に取り付けられ仕切板の送風ファン側に突出する放熱フィンとを備えるものである。これによって、電装品箱の小型化が可能である。【００１５】
第２の発明は、第１の発明において、第２の基板ホルダが、第２の制御基板を挿入するためのスロットを備えるものである。これによって、電装品箱の小型化が可能となり、且つ、第２の制御基板を容易に取り付けることができる。【００１６】
第３の発明は、第１または第２の発明において、リアクタが、第２の制御基板に実装されるものである。これによって、電装品箱の小型化が可能となる。【００１７】
第４の発明は、第１から第３のいずれか１つの発明の電装品箱を備える空気調和機である。これによって、空気調和機の小型化が可能となる。【００１８】
以下、本発明の実施の形態について説明する。【００１９】
（実施の形態１）
図１は、本発明の実施の形態１に係る空気調和機の電装品箱の構造を示す分解斜視図である。【００２０】
図１に示されるように、電装品箱１は、樹脂材料で一体成型され、第１の基板ホルダである基板ホルダ２と、基板ホルダ２に対し略直交する方向に（略垂直下方に）延びる第２の基板ホルダである基板ホルダ３とを備えている。【００２１】
第１の制御基板である制御基板４は、発熱部品５を含む複数の電気部品が実装され、基板ホルダ２に取り付けられる。制御基板４には、放熱フィン６が取り付けられ、発熱部品５からの熱を放出する。ここで、発熱部品とは、特許文献２に示すような空気調和機を動作させるモータ駆動用インバータ制御装置を構成する交流電力を直流電力に変換する整流回路に用いるダイオードや、直流電力を交流電力に変換するインバータ回路に用いるＩＧＢＴなどの電力損失とそれによる発熱が大きく、冷却のために放熱フィンを必要とする部品のことである。【００２２】
第２の制御基板である制御基板７は、リアクタ９を含み、発熱部品を含まない複数の電気部品（発熱が少なく、放熱フィンを必要としない電気部品あるいは非発熱部品）が実装され、基板ホルダ３に設けられるスロット８に挿入される。このため、制御基板４と制御基板７とは、互いに略直交するように設置される。ここで、特許文献２のモータ駆動用インバータ制御装置で提案されている制御を行なうことで、小容量リアクタを用いてもモータ駆動の維持、すなわち空気調和機の動作を維持することができる。従って、リアクタの小型・軽量化ができ、リアクタ９の制御基板７への取り付けが可能となる。【００２３】
図２は、本実施の形態の電装品箱を有する空気調和機の室外機１０の正面図である。図２に示されるように、室外機１０の内部には、圧縮機１１と送風ファン１２とが収容されており、圧縮機１１と送風ファン１２は、上下方向に延びる仕切板１３により分離されている。電装品箱１も、室外機１０の内部における仕切板１３の上部に収容されている。【００２４】
制御基板７は、仕切板１３と平行になるように配置されており、仕切板１３の圧縮機側の空間に配置される。【００２５】
放熱フィン６は、基板ホルダ２に設けられる開口部１５から仕切板１３の送風ファン１２側の空間に突出する。このため、送風ファン１２がファンモータ１４に駆動されることにより、放熱フィン６からの放熱が促進される。【００２６】
尚、制御基板４、制御基板７、圧縮機８、ファンモータ１４はハーネスなどによって接続される。【００２７】
上記のように構成された電装品箱１において、制御基板４と制御基板７とを略直交するように配置し、リアクタ９を制御基板７に実装することにより、電装品箱１を圧縮機１１や送風ファン１２等と干渉しない位置に配置することができ、電装品箱全体を小型化できる。【００２８】
また、圧縮機１１、仕切板１３、室外機１０の背面（図示せず）、側面１６などによりできた空間に、電装品箱１を効率よく収納することができるため、室外機１０の小型化が可能となる。【００２９】
また、制御基板７はスロット８に挿入することで取り付けられるので、制御基板７の取付けが容易である。【００３０】
（実施の形態２）
図３は、本発明の実施の形態２に係る空気調和機の電装品箱の構造を示す分解斜視図である。本実施の形態において、実施の形態１と同じ箇所には同じ符号を付し、説明を省略する。
図３に示されるように、電装品箱１０１は、樹脂材料で一体成型され、第１の基板ホルダである基板ホルダ１０２と、基板ホルダ１０２と略平行に延びる第２の基板ホルダである基板ホルダ１０３とを備えている。【００３１】
第１の制御基板である制御基板１０４は、発熱部品５を含む複数の電気部品が実装され、基板ホルダ１０２に取り付けられる。制御基板１０４には、放熱フィン６が取り付けられ、発熱部品５からの熱を放出する。【００３２】
第２の制御基板である制御基板１０７は、リアクタ９を含み、発熱部品を含まない複数の電気部品が実装され、基板ホルダ１０３に設けられるスロット１０８に挿入される。このため、制御基板１０４と制御基板１０７とは、共に略水平になるように設置される。ここで、リアクタ９は上記に示すとおり、小型・軽量化ができるので、制御基板１０７に取り付けることが可能である。【００３３】
尚、制御基板１０４および制御基板１０７には、コンデンサ、リアクタ等の背の高いリード部品が実装されている。【００３４】
ここで、制御基板１０４のリード部品を配置する部品面と、制御基板１０７のリード部品を配置する部品面が、互いに対向するように電装品箱１０１に取付けられているので、２つの制御基板１０４，１０７に実装された部品が互いに接触しないように、電気部品を配置している。【００３５】
例えば、制御基板１０４に片面基板を用いた場合、制御基板１０４にマイクロコンピュータ１１７などの面実装部品を実装すると、この面実装部品が実装された反対の面（リード部品面）に空間ができる。この生じた空間に、制御基板１０７に実装されるリアクタ９などの高背部品を配置することで、効率良く制御基板を電装品箱１０１に収納することができる。【００３６】
図４は、本実施の形態の電装品箱１０１を有する空気調和機の室外機１０の正面図である。図４に示されるように、室外機１０の内部には、圧縮機１１と送風ファン１２とが収容されており、圧縮機１１と送風ファン１２は、上下方向に延びる仕切板１３により分離されている。電装品箱１０１も、室外機１０の内部における仕切板１３の上部に収容されている。【００３７】
制御基板１０７は、仕切板１３の圧縮機側の空間に配置される。放熱フィン６は、基板ホルダ１０２に設けられる開口部１５から仕切板１３の送風ファン１２側の空間に突出する。このため、送風ファン１２がファンモータ１４に駆動されることにより、放熱フィン６からの放熱が促進される。【００３８】
尚、制御基板１０４、制御基板１０７、圧縮機８、ファンモータ１４はハーネスなどによって接続される。【００３９】
上記のように構成された電装品箱１０１において、制御基板１０４と制御基板１０７とを水平に配置し、リアクタ９を制御基板１０７に実装することにより、電装品箱１０１を圧縮機１１や送風ファン１２等と干渉しない位置に配置することができ、電装品箱全体を小型化できる。【００４０】
また、圧縮機１１、仕切板１３、室外機１０の背面（図示せず）、側面１６などによりできた空間に、電装品箱１０１を効率よく収納することができるため、室外機１０の小型化が可能となる。【００４１】
また、制御基板１０７はスロット１０８に挿入することで取り付けられるので、制御基板１０７の取付けが容易である。【００４２】
（実施の形態３）
以下、本発明の第３の実施の形態に係る空気調和機の電装品箱について図面を用いて説明する。本実施の形態において、実施の形態１と同じ箇所には同じ符号を付し、説明を省略する。【００４３】
図５は、本実施の形態の電装品箱を有する空気調和機の室外機１０の正面図である。【００４４】
図５に示されるように、本実施の形態においては、第１の基板ホルダである電装品箱１７と第２の基板ホルダである固定板１８とは別々に設けられ、電装品箱１７は仕切板１３の上部に配置されるのに対し、固定板１８は、仕切板１３の圧縮機１１側に設置される。【００４５】
このように、電装品箱１７を仕切板１３の上部に配置し、制御基板７を仕切板１３の側面に配置することにより、電装品箱１７を小型化することができるとともに、圧縮機１１、仕切板１３、室外機１０の背面１４、側面１６などによりできた空間に、電装品箱１７および制御基板７を効率よく収納することができ、室外機１０の小型化が可能となる。
【産業上の利用可能性】
【００４６】
以上のように、本発明にかかる電装品箱は小型化が可能なので、空気調和機の電装品箱として有用である。
【図１】
2008126390.tif 000003
【図２】
2008126390.tif 000004
【図３】
2008126390.tif 000005
【図４】
2008126390.tif 000006
【図５】
2008126390.tif 000007
【図６】
2008126390.tif 000008
【図７】
2008126390.tif 000009
【手続補正書】
【提出日】平成21年10月21日(2009.10.21)
【手続補正１】
【補正対象書類名】明細書
【補正対象項目名】全文
【補正方法】変更
【補正の内容】
【発明の詳細な説明】
【技術分野】
【０００１】
本発明は空気調和機に関し、より具体的には空気調和機の電装品箱に関するものである。
【背景技術】
【０００２】
従来、空気調和機の制御を行なうための複数の電気部品が実装された制御基板を有する電装品箱が使用されている（例えば、特許文献１参照）。
【０００３】
図６は、特許文献１に記載の電装品箱の構造の一例を示す分解斜視図であり、図６に示されるように、空気調和機の電装品箱２１は、インバータ等の電気部品を取り付けた基板ホルダ２２，２３と、基板ホルダ２２の上面を覆うように水平に取り付けられ、基板ホルダ２２の一側面に露出させて送風機により冷却される発熱電子部品２４，２５を取り付けた放熱フィン２６を有するプリント基板２７と、基板ホルダ２３の背面を覆うように垂直に取り付けられ、基板ホルダ２３の背面に露出させて送風機により冷却される発熱電子部品２８を取り付けた放熱フィン２９を有するプリント基板３０とを備えたものである。
【０００４】
また、基板ホルダ２２，２３の内部にリアクタ３１が配置されており、このリアクタ３１の背面と上面をプリント基板２７，３０で覆う構成にしたものである。
【０００５】
また、空気調和機を制御するモータ駆動用インバータ制御装置も提案されている（例えば、特許文献２参照）。
【０００６】
図７は、このモータ駆動用インバータ制御装置のシステム構成図であり、図７に示されるように、主回路は交流電源５１と、交流電力を直流電力に変換するダイオードブリッジ５２と、２ｍＨ以下の小容量リアクタ６１と、１００μＦ以下の小容量コンデンサ６２と、直流電力を交流電力に変換するインバータ５３と、インバータ５３により変換された交流電力により駆動するモータ５４から構成されている。一方、制御回路では、外部から与えられるモータ５４の速度指令ω＊に基づいてモータ５４の各相電圧指令値を作成するモータ電圧指令作成手段６４と、インバータ５３の直流電圧値を検出するＰＮ電圧検出手段６５と、インバータ５３が実際に電圧出力するタイミングでの直流電圧予測値を演算するＰＮ電圧予測手段６９と、予め設定されたインバータ５３の直流電圧基準値をＰＮ電圧予測手段６９から得られるインバータ５３の直流電圧予測値で除算することによりＰＮ電圧補正係数を導出し、直流電圧検出値がゼロ以下の場合にはＰＮ電圧補正係数に予め設定されたＰＮ電圧補正係数の最大値を設定するＰＮ電圧補正手段６６と、モータ電圧指令作成手段６４から得られる各相電圧指令値とＰＮ電圧補正手段６６の出力値であるＰＮ電圧補正係数とを乗算することにより各相電圧指令値の補正を行なうモータ電圧指令補正手段６７と、モータ電圧指令補正手段６７から作成されたモータ電圧指令補正値がモータ５４に印加されるようなインバータ５３のＰＷＭ信号を生成するＰＷＭ制御手段６８から構成されている。
【０００７】
この構成によって、小容量コンデンサおよび小容量リアクタを用いることで小型・軽量・低コストのモータ駆動用インバータ制御装置を実現し、インバータ直流電圧が大幅に変動してモータの駆動が困難あるいは不可能となる場合でも、モータに印加する電圧がほぼ一定となるようにインバータを動作させ、モータ駆動の維持を図ることができる。
【先行技術文献】
【特許文献】
【０００８】
【特許文献１】特開平１１−６３５７４号公報
【特許文献２】特開２００５−３０４２４８号公報
【発明の概要】
【発明が解決しようとする課題】
【０００９】
しかしながら、上記従来の空気調和機の電装品箱では、発熱部品が第１のプリント基板および第２のプリント基板に分かれて配置されているため、放熱フィンを２個使用する必要があり、またリアクタが単体で配置され、このリアクタの周りを覆うように第１のプリント基板、および第２のプリント基板が配置されているので、電装品箱全体として小型化が困難である場合がある。
【００１０】
本発明は、従来技術の有するこのような問題点に鑑みてなされたものであり、小型化を図ることができる電装品箱を提供することを目的としている。
【課題を解決するための手段】
【００１１】
上記目的を達成するため、本発明の空気調和機の電装品箱は、発熱部品が実装される第１の制御基板と、該第１の制御基板を保持し圧縮機と送風ファンを仕切る仕切板の上部に設置される第１の基板ホルダと、非発熱部品が実装される第２の制御基板と、該第２の制御基板を保持し前記仕切板の前記圧縮機側に前記第１の基板ホルダに対して略垂直または水平に設置される第２の基板ホルダと、前記第１の制御基板に取り付けられ前記仕切板の前記送風ファン側に突出する放熱フィンとを備えるものである。
【発明の効果】
【００１２】
本発明によれば、空気調和機の電装品箱の小型化を図ることができ、ひいては、空気調和機の小型化を図ることができる。
【図面の簡単な説明】
【００１３】
【図１】図１は本発明の実施の形態１に係る空気調和機の電装品箱の構造を示す分解斜視図
【図２】図２は図１の電装品箱を備えた室外機の正面図
【図３】図３は本発明の実施の形態２に係る空気調和機の電装品箱の構造を示す分解斜視図
【図４】図４は図３の電装品箱を備えた室外機の正面図
【図５】図５は本発明の実施の形態３に係る電装品箱を備えた室外機の正面図
【図６】図６は従来の空気調和機の電装品箱の構造を示す分解斜視図
【図７】図７は従来のモータ駆動用インバータ制御装置のシステム構成図
【発明を実施するための形態】
【００１４】
第１の発明は、発熱部品が実装される第１の制御基板と、第１の制御基板を保持し圧縮機と送風ファンを仕切る仕切板の上部に設置される第１の基板ホルダと、非発熱部品が実装される第２の制御基板と、第２の制御基板を保持し仕切板の圧縮機側に第１の基板ホルダに対して略垂直または水平に設置される第２の基板ホルダと、第１の制御基板に取り付けられ仕切板の送風ファン側に突出する放熱フィンとを備えるものである。これによって、電装品箱の小型化が可能である。
【００１５】
第２の発明は、第１の発明において、第２の基板ホルダが、第２の制御基板を挿入するためのスロットを備えるものである。これによって、電装品箱の小型化が可能となり、且つ、第２の制御基板を容易に取り付けることができる。
【００１６】
第３の発明は、第１または第２の発明において、リアクタが、第２の制御基板に実装されるものである。これによって、電装品箱の小型化が可能となる。
【００１７】
第４の発明は、第１から第３のいずれか１つの発明の電装品箱を備える空気調和機である。これによって、空気調和機の小型化が可能となる。
【００１８】
以下、本発明の実施の形態について説明する。
【００１９】
（実施の形態１）
図１は、本発明の実施の形態１に係る空気調和機の電装品箱の構造を示す分解斜視図である。
【００２０】
図１に示されるように、電装品箱１は、樹脂材料で一体成型され、第１の基板ホルダである基板ホルダ２と、基板ホルダ２に対し略直交する方向に（略垂直下方に）延びる第２の基板ホルダである基板ホルダ３とを備えている。
【００２１】
第１の制御基板である制御基板４は、発熱部品５を含む複数の電気部品が実装され、基板ホルダ２に取り付けられる。制御基板４には、放熱フィン６が取り付けられ、発熱部品５からの熱を放出する。ここで、発熱部品とは、特許文献２に示すような空気調和機を動作させるモータ駆動用インバータ制御装置を構成する交流電力を直流電力に変換する整流回路に用いるダイオードや、直流電力を交流電力に変換するインバータ回路に用いるＩＧＢＴなどの電力損失とそれによる発熱が大きく、冷却のために放熱フィンを必要とする部品のことである。
【００２２】
第２の制御基板である制御基板７は、リアクタ９を含み、発熱部品を含まない複数の電気部品（発熱が少なく、放熱フィンを必要としない電気部品あるいは非発熱部品）が実装され、基板ホルダ３に設けられるスロット８に挿入される。このため、制御基板４と制御基板７とは、互いに略直交するように設置される。ここで、特許文献２のモータ駆動用インバータ制御装置で提案されている制御を行なうことで、小容量リアクタを用いてもモータ駆動の維持、すなわち空気調和機の動作を維持することができる。従って、リアクタの小型・軽量化ができ、リアクタ９の制御基板７への取り付けが可能となる。
【００２３】
図２は、本実施の形態の電装品箱を有する空気調和機の室外機１０の正面図である。図２に示されるように、室外機１０の内部には、圧縮機１１と送風ファン１２とが収容されており、圧縮機１１と送風ファン１２は、上下方向に延びる仕切板１３により分離されている。電装品箱１も、室外機１０の内部における仕切板１３の上部に収容されている。
【００２４】
制御基板７は、仕切板１３と平行になるように配置されており、仕切板１３の圧縮機側の空間に配置される。
【００２５】
放熱フィン６は、基板ホルダ２に設けられる開口部１５から仕切板１３の送風ファン１２側の空間に突出する。このため、送風ファン１２がファンモータ１４に駆動されることにより、放熱フィン６からの放熱が促進される。
【００２６】
尚、制御基板４、制御基板７、圧縮機１１、ファンモータ１４はハーネスなどによって接続される。
【００２７】
上記のように構成された電装品箱１において、制御基板４と制御基板７とを略直交するように配置し、リアクタ９を制御基板７に実装することにより、電装品箱１を圧縮機１１や送風ファン１２等と干渉しない位置に配置することができ、電装品箱全体を小型化できる。
【００２８】
また、圧縮機１１、仕切板１３、室外機１０の背面（図示せず）、側面１６などによりできた空間に、電装品箱１を効率よく収納することができるため、室外機１０の小型化が可能となる。
【００２９】
また、制御基板７はスロット８に挿入することで取り付けられるので、制御基板７の取付けが容易である。
【００３０】
（実施の形態２）
図３は、本発明の実施の形態２に係る空気調和機の電装品箱の構造を示す分解斜視図である。本実施の形態において、実施の形態１と同じ箇所には同じ符号を付し、説明を省略する。
図３に示されるように、電装品箱１０１は、樹脂材料で一体成型され、第１の基板ホルダである基板ホルダ１０２と、基板ホルダ１０２と略平行に延びる第２の基板ホルダである基板ホルダ１０３とを備えている。
【００３１】
第１の制御基板である制御基板１０４は、発熱部品５を含む複数の電気部品が実装され、基板ホルダ１０２に取り付けられる。制御基板１０４には、放熱フィン６が取り付けられ、発熱部品５からの熱を放出する。
【００３２】
第２の制御基板である制御基板１０７は、リアクタ９を含み、発熱部品を含まない複数の電気部品が実装され、基板ホルダ１０３に設けられるスロット１０８に挿入される。このため、制御基板１０４と制御基板１０７とは、共に略水平になるように設置される。ここで、リアクタ９は上記に示すとおり、小型・軽量化ができるので、制御基板１０７に取り付けることが可能である。
【００３３】
尚、制御基板１０４および制御基板１０７には、コンデンサ、リアクタ等の背の高いリード部品が実装されている。
【００３４】
ここで、制御基板１０４のリード部品を配置する部品面と、制御基板１０７のリード部品を配置する部品面が、互いに対向するように電装品箱１０１に取付けられているので、２つの制御基板１０４，１０７に実装された部品が互いに接触しないように、電気部品を配置している。
【００３５】
例えば、制御基板１０４に片面基板を用いた場合、制御基板１０４にマイクロコンピュータ１１７などの面実装部品を実装すると、この面実装部品が実装された反対の面（リード部品面）に空間ができる。この生じた空間に、制御基板１０７に実装されるリアクタ９などの高背部品を配置することで、効率良く制御基板を電装品箱１０１に収納することができる。
【００３６】
図４は、本実施の形態の電装品箱１０１を有する空気調和機の室外機１０の正面図である。図４に示されるように、室外機１０の内部には、圧縮機１１と送風ファン１２とが収容されており、圧縮機１１と送風ファン１２は、上下方向に延びる仕切板１３により分離されている。電装品箱１０１も、室外機１０の内部における仕切板１３の上部に収容されている。
【００３７】
制御基板１０７は、仕切板１３の圧縮機側の空間に配置される。放熱フィン６は、基板ホルダ１０２に設けられる開口部１５から仕切板１３の送風ファン１２側の空間に突出する。このため、送風ファン１２がファンモータ１４に駆動されることにより、放熱フィン６からの放熱が促進される。
【００３８】
尚、制御基板１０４、制御基板１０７、圧縮機１１、ファンモータ１４はハーネスなどによって接続される。
【００３９】
上記のように構成された電装品箱１０１において、制御基板１０４と制御基板１０７とを水平に配置し、リアクタ９を制御基板１０７に実装することにより、電装品箱１０１を圧縮機１１や送風ファン１２等と干渉しない位置に配置することができ、電装品箱全体を小型化できる。
【００４０】
また、圧縮機１１、仕切板１３、室外機１０の背面（図示せず）、側面１６などによりできた空間に、電装品箱１０１を効率よく収納することができるため、室外機１０の小型化が可能となる。
【００４１】
また、制御基板１０７はスロット１０８に挿入することで取り付けられるので、制御基板１０７の取付けが容易である。
【００４２】
（実施の形態３）
以下、本発明の実施の形態３に係る空気調和機の電装品箱について図面を用いて説明する。本実施の形態において、実施の形態１と同じ箇所には同じ符号を付し、説明を省略する。
【００４３】
図５は、本実施の形態の電装品箱を有する空気調和機の室外機１０の正面図である。
【００４４】
図５に示されるように、本実施の形態においては、第１の基板ホルダである電装品箱１７と第２の基板ホルダである固定板１８とは別々に設けられ、電装品箱１７は仕切板１３の上部に配置されるのに対し、固定板１８は、仕切板１３の圧縮機１１側に設置される。
【００４５】
このように、電装品箱１７を仕切板１３の上部に配置し、制御基板７を仕切板１３の側面に配置することにより、電装品箱１７を小型化することができるとともに、圧縮機１１、仕切板１３、室外機１０の背面、側面１６などによりできた空間に、電装品箱１７および制御基板７を効率よく収納することができ、室外機１０の小型化が可能となる。
【産業上の利用可能性】
【００４６】
以上のように、本発明にかかる電装品箱は小型化が可能なので、空気調和機の電装品箱として有用である。
【符号の説明】
【００４７】
１  電装品箱
２  基板ホルダ
３  基板ホルダ
４  制御基板
５  発熱部品
６  放熱フィン
７  制御基板
８  スロット
９  リアクタ
１０  室外機
１１  圧縮機
１２  送風ファン
１３  仕切板
１４  ファンモータ
１５  開口部
１６  室外機の側面
１７  電装品箱
１８  固定板
１０１  電装品箱
１０２  基板ホルダ
１０３  基板ホルダ
【手続補正２】
【補正対象書類名】特許請求の範囲
【補正対象項目名】全文
【補正方法】変更
【補正の内容】
【特許請求の範囲】
【請求項１】
圧縮機と送風ファンとを有する空気調和機の電装品箱であって、
発熱部品が実装される第１の制御基板と、該第１の制御基板を保持し前記圧縮機と前記送風ファンを仕切る仕切板の上部に設置される第１の基板ホルダと、非発熱部品が実装される第２の制御基板と、該第２の制御基板を保持し前記仕切板の前記圧縮機側に前記第１の基板ホルダに対して略垂直または水平に設置される第２の基板ホルダと、前記第１の制御基板に取り付けられ前記仕切板の前記送風ファン側に突出する放熱フィンと、を備えたことを特徴とする空気調和機の電装品箱。
【請求項２】
前記第２の基板ホルダが、前記第２の制御基板を挿入するためのスロットを備えたことを特徴とする請求項１に記載の空気調和機の電装品箱。
【請求項３】
リアクタが、前記第２の制御基板に実装されていることを特徴とする請求項１または２に記載の空気調和機の電装品箱。
【請求項４】
請求項１〜３のいずれか１項に記載の空気調和機の電装品箱を備えたことを特徴とする空気調和機。
【手続補正３】
【補正対象書類名】図面
【補正対象項目名】全図
【補正方法】変更
【補正の内容】
【図１】
2008126390.tif 000010
【図２】
2008126390.tif 000011
【図３】
2008126390.tif 000012
【図４】
2008126390.tif 000013
【図５】
2008126390.tif 000014
【図６】
2008126390.tif 000015
【図７】
2008126390.tif 000016
【国際調査報告】
2008126390.tif 000017
2008126390.tif 000018